(57)【要約】【課題】  後片づけが容易なおまるを提供することを目的とするものである。【解決手段】  中桶１２の短辺側壁面５４の高さ方向における長さを、長さ寸法ＳＨＬに設定し、両短辺側壁面５４が起立した底面５１の起立位置間の長さを、長さ寸法Ｄに設定する。一方の短辺側壁面５４の長さ寸法ＳＨＬと、他方の短辺側壁面５４の長さ寸法ＳＨＬと、底面５１の長さ方向の長さ寸法Ｄとを加算した加算寸法（ＳＨＬ＋ＳＨＬ＋Ｄ）と、中桶１２にセットされる吸水シーツ８１の長辺方向９３での長さ寸法ＳＬとにおいて、該長さ寸法ＳＬが前記加算寸法（ＳＨＬ＋ＳＨＬ＋Ｄ）の０．６倍以上１．３倍以下となるように、長さ寸法ＳＬと加算寸法（ＳＨＬ＋ＳＨＬ＋Ｄ）との比率を設定する。【選択図】        図４
2006296518.tif 000002
【特許請求の範囲】
【請求項１】
シートをセットした状態で排泄物が収容される容器部を、底面と該底面の周縁に起立した壁面とで構成する一方、
前記容器部の相対向した壁面の一方の高さ方向の長さ寸法及び他方の壁面の高さ方向の長さ寸法並びに前記相対向する両壁面が起立した前記底面の起立位置間での長さ寸法を加算して算出された加算寸法と、前記容器部にセットした際に前記相対向する壁面を結ぶ方向と同方向に延在する前記シートの幅方向でのシート寸法とにおいて、前記シート寸法が前記加算寸法の０．６倍以上となるように前記シート寸法と前記加算寸法との比率を設定したことを特徴とするおまる。
【請求項２】
前記シート寸法が前記加算寸法の１．３倍以下となるように前記シート寸法と前記加算寸法との比率を設定したことを特徴とする請求項１記載のおまる。
【請求項３】
シートをセットした状態で排泄物が収容される容器部を、底面と該底面の周縁に起立した壁面とで構成する一方、
前記容器部の相対向した壁面の一方の高さ方向の長さ寸法及び他方の壁面の高さ方向の長さ寸法並びに前記相対向する両壁面が起立した前記底面の起立位置間での長さ寸法を加算して算出された加算寸法と、前記容器部にセットした際に前記相対向する壁面を結ぶ方向と同方向に延在する前記シートの幅方向でのシート寸法とにおいて、前記シート寸法が前記加算寸法の１．３倍以下となるように前記シート寸法と前記加算寸法との比率を設定したことを特徴とするおまる。
【請求項４】
シートをセットした状態で排泄物が収容される容器部を、一方向に長い長形状の底面と、前記底面の短手方向に延在する短辺より起立した短辺側壁面と、前記底面の長手方向に延在する長辺より起立した長辺側壁面とで構成する一方、
前記容器部の相対向した短辺側壁面の一方の高さ方向の長さ寸法及び他方の短辺側壁面の高さ方向の長さ寸法並びに前記相対向する両短辺側壁面が起立した前記底面の起立位置間での長さ寸法を加算して算出された加算寸法と、前記容器部にセットした際に前記相対向する短辺側壁面を結ぶ方向と同方向に延在する前記シートの長さ方向でのシート寸法とにおいて、前記シート寸法が前記加算寸法の０．６倍以上となるように前記シート寸法と前記加算寸法との比率を設定したことを特徴とするおまる。
【請求項５】
前記シート寸法が前記加算寸法の１．３倍以下となるように前記シート寸法と前記加算寸法との比率を設定したことを特徴とする請求項４記載のおまる。
【請求項６】
シートをセットした状態で排泄物が収容される容器部を、一方向に長い長形状の底面と、前記底面の短手方向に延在する短辺より起立した短辺側壁面と、前記底面の長手方向に延在する長辺より起立した長辺側壁面とで構成する一方、
前記容器部の相対向した短辺側壁面の一方の高さ方向の長さ寸法及び他方の短辺側壁面の高さ方向の長さ寸法並びに前記相対向する両短辺側壁面が起立した前記底面の起立位置間での長さ寸法を加算して算出された加算寸法と、前記容器部にセットした際に前記相対向する短辺側壁面を結ぶ方向と同方向に延在する前記シートの長さ方向でのシート寸法とにおいて、前記シート寸法が前記加算寸法の１．３倍以下となるように前記シート寸法と前記加算寸法との比率を設定したことを特徴とするおまる。
【請求項７】
シートをセットした状態で排泄物が収容される容器部を、一方向に長い長形状の底面と、前記底面の短手方向に延在する短辺より起立した短辺側壁面と、前記底面の長手方向に延在する長辺より起立した長辺側壁面とで構成する一方、
前記容器部の相対向した長辺側壁面の一方の高さ方向の長さ寸法及び他方の長辺側壁面の高さ方向の長さ寸法並びに前記相対向する両長辺側壁面が起立した前記底面の起立位置間での長さ寸法を加算して算出された加算寸法と、前記容器部にセットした際に前記相対向する長辺側壁面を結ぶ方向と同方向に延在する前記シートの幅方向でのシート寸法とにおいて、前記シート寸法が前記加算寸法の０．６倍以上となるように前記シート寸法と前記加算寸法との比率を設定したことを特徴とするおまる。
【請求項８】
前記シート寸法が前記加算寸法の１．３倍以下となるように前記シート寸法と前記加算寸法との比率を設定したことを特徴とする請求項７記載のおまる。
【請求項９】
シートをセットした状態で排泄物が収容される容器部を、一方向に長い長形状の底面と、前記底面の短手方向に延在する短辺より起立した短辺側壁面と、前記底面の長手方向に延在する長辺より起立した長辺側壁面とで構成する一方、
前記容器部の相対向した長辺側壁面の一方の高さ方向の長さ寸法及び他方の長辺側壁面の高さ方向の長さ寸法並びに前記相対向する両長辺側壁面が起立した前記底面の起立位置間での長さ寸法を加算して算出された加算寸法と、前記容器部にセットした際に前記相対向する長辺側壁面を結ぶ方向と同方向に延在する前記シートの幅方向でのシート寸法とにおいて、前記シート寸法が前記加算寸法の１．３倍以下となるように前記シート寸法と前記加算寸法との比率を設定したことを特徴とするおまる。
【請求項１０】
排泄物が収容される容器部を底面と該底面の周縁に起立した壁面とで構成し、前記容器部の前記底面にシートを敷いた状態で該シートの周縁部が前記壁面に沿って立ち上がるように、前記シートの大きさを前記底面より大きく設定したことを特徴とするおまる。
【請求項１１】
排泄物が収容される容器部を底面と該底面の周縁に起立した壁面とで構成し、前記容器部の前記底面にシートを敷いた状態で該シートの両端部が相対向する壁面に沿って立ち上がるとともに、前記両端部が前記壁面より上方へ延出する寸法に前記シートを設定したことを特徴とするおまる。
【請求項１２】
前記シートを、吸水性を有する吸水部と、該吸水部の外周部に設けられた非吸水性の非吸水部とで構成する一方、
前記シートを前記容器部にセットした状態で前記壁面より上方へ延出する前記シートの延出部分が前記非吸水部で構成されるように当該非吸水部の寸法を設定したことを特徴とする請求項１１記載のおまる
【請求項１３】
前記シートの裏面を不透液性バックシートで構成したことを特徴とする請求項１から１２にいずれか記載のおまる。
【発明の詳細な説明】
【技術分野】
【０００１】
本発明は、便器を構成するおまるに関する。
【背景技術】
【０００２】
従来、幼児にトイレを仕付ける際には、おまるが使用されている。
【０００３】
該おまるは、容器状に形成されており、その底面にシートを敷いて使用するように構成されている。
【０００４】
これにより、底面の汚れを防止できるように構成されている。
【発明の開示】
【発明が解決しようとする課題】
【０００５】
しかしながら、このような従来のおまるにあっては、使用後のシートが取り外し難く、後片づけが面倒であった。
【０００６】
本発明は、このような従来の課題に鑑みてなされたものであり、後片づけが容易なおまるを提供することを目的とするものである。
【課題を解決するための手段】
【０００７】
前記課題を解決するために本発明の請求項１のおまるにあっては、シートをセットした状態で排泄物が収容される容器部を、底面と該底面の周縁に起立した壁面とで構成する一方、前記容器部の相対向した壁面の一方の高さ方向の長さ寸法及び他方の壁面の高さ方向の長さ寸法並びに前記相対向する両壁面が起立した前記底面の起立位置間での長さ寸法を加算して算出された加算寸法と、前記容器部にセットした際に前記相対向する壁面を結ぶ方向と同方向に延在する前記シートの幅方向でのシート寸法とにおいて、前記シート寸法が前記加算寸法の０．６倍以上となるように前記シート寸法と前記加算寸法との比率を設定した。
【０００８】
すなわち、前記容器部にセットされるシートのシート寸法は、前記容器部の相対向した壁面の一方の高さ方向の長さ寸法及び他方の壁面の高さ方向の長さ寸法並びに前記相対向する両壁面が起立した底面の起立位置間での長さ寸法を加算した加算寸法の０．６倍以上となるように、前記シート寸法と前記加算寸法との比率が設定されている。
【０００９】
なお、本明細書において、相対向する壁面とは、平面のみならず、湾曲した面や中途部が屈曲した面も含まれるものとする。
【００１０】
このため、このシートを前記容器部の底面に敷いた際には、当該シートの周縁部は、相対向する壁面に沿って立ち上がる。このとき、前記シートは、前記底面と前記壁面との角部より浮き上がる。このため、この浮き上がりを考慮すると、当該シートの端部を、前記壁面より上方へ延出させることができる。
【００１１】
また、請求項２のおまるにおいては、前記シート寸法が前記加算寸法の１．３倍以下となるように前記シート寸法と前記加算寸法との比率を設定した。
【００１２】
これにより、容器部の壁面に沿って立ち上がるとともに、当該壁面の上縁より延出したシート端部の延出量は制限される。
【００１３】
さらに、請求項３のおまるでは、シートをセットした状態で排泄物が収容される容器部を、底面と該底面の周縁に起立した壁面とで構成する一方、前記容器部の相対向した壁面の一方の高さ方向の長さ寸法及び他方の壁面の高さ方向の長さ寸法並びに前記相対向する両壁面が起立した前記底面の起立位置間での長さ寸法を加算して算出された加算寸法と、前記容器部にセットした際に前記相対向する壁面を結ぶ方向と同方向に延在する前記シートの幅方向でのシート寸法とにおいて、前記シート寸法が前記加算寸法の１．３倍以下となるように前記シート寸法と前記加算寸法との比率を設定した。
【００１４】
これにより、容器部の壁面に沿って立ち上がるとともに、当該壁面の上縁より延出したシート端部の延出量は制限される。
【００１５】
また、請求項４のおまるにあっては、シートをセットした状態で排泄物が収容される容器部を、一方向に長い長形状の底面と、前記底面の短手方向に延在する短辺より起立した短辺側壁面と、前記底面の長手方向に延在する長辺より起立した長辺側壁面とで構成する一方、前記容器部の相対向した短辺側壁面の一方の高さ方向の長さ寸法及び他方の短辺側壁面の高さ方向の長さ寸法並びに前記相対向する両短辺側壁面が起立した前記底面の起立位置間での長さ寸法を加算して算出された加算寸法と、前記容器部にセットした際に前記相対向する短辺側壁面を結ぶ方向と同方向に延在する前記シートの長さ方向でのシート寸法とにおいて、前記シート寸法が前記加算寸法の０．６倍以上となるように前記シート寸法と前記加算寸法との比率を設定した。
【００１６】
すなわち、前記容器部にセットされるシートのシート寸法は、前記容器部の相対向した短辺側壁面の一方の高さ方向の長さ寸法及び他方の短辺側壁面の高さ方向の長さ寸法並びに前記相対向する両短辺側壁面が起立した底面の起立位置間での長さ寸法を加算した加算寸法の０．６倍以上となるように、前記シート寸法と前記加算寸法との比率が設定されている。
【００１７】
このため、このシートを前記容器部の底面に敷いた際には、当該シートの周縁部は、相対向する短辺側壁面に沿って立ち上がる。このとき、前記シートは、前記底面と前記短辺側壁面との角部より浮き上がる。このため、この浮き上がりを考慮すると、当該シートの端部を、前記短辺側壁面より上方へ延出させることができる。
【００１８】
さらに、請求項５のおまるにおいては、前記シート寸法が前記加算寸法の１．３倍以下となるように前記シート寸法と前記加算寸法との比率を設定した。
【００１９】
これにより、容器部の短辺側壁面に沿って立ち上がるとともに、当該短辺側壁面の上縁より延出したシート端部の延出量は制限される。
【００２０】
加えて、請求項６のおまるでは、シートをセットした状態で排泄物が収容される容器部を、一方向に長い長形状の底面と、前記底面の短手方向に延在する短辺より起立した短辺側壁面と、前記底面の長手方向に延在する長辺より起立した長辺側壁面とで構成する一方、前記容器部の相対向した短辺側壁面の一方の高さ方向の長さ寸法及び他方の短辺側壁面の高さ方向の長さ寸法並びに前記相対向する両短辺側壁面が起立した前記底面の起立位置間での長さ寸法を加算して算出された加算寸法と、前記容器部にセットした際に前記相対向する短辺側壁面を結ぶ方向と同方向に延在する前記シートの長さ方向でのシート寸法とにおいて、前記シート寸法が前記加算寸法の１．３倍以下となるように前記シート寸法と前記加算寸法との比率を設定した。
【００２１】
これにより、容器部の短辺側壁面に沿って立ち上がるとともに、当該短辺側壁面の上縁より延出したシート端部の延出量は制限される。
【００２２】
また、請求項７のおまるにあっては、シートをセットした状態で排泄物が収容される容器部を、一方向に長い長形状の底面と、前記底面の短手方向に延在する短辺より起立した短辺側壁面と、前記底面の長手方向に延在する長辺より起立した長辺側壁面とで構成する一方、前記容器部の相対向した長辺側壁面の一方の高さ方向の長さ寸法及び他方の長辺側壁面の高さ方向の長さ寸法並びに前記相対向する両長辺側壁面が起立した前記底面の起立位置間での長さ寸法を加算して算出された加算寸法と、前記容器部にセットした際に前記相対向する長辺側壁面を結ぶ方向と同方向に延在する前記シートの幅方向でのシート寸法とにおいて、前記シート寸法が前記加算寸法の０．６倍以上となるように前記シート寸法と前記加算寸法との比率を設定した。
【００２３】
すなわち、前記容器部にセットされるシートのシート寸法は、前記容器部の相対向した長辺側壁面の一方の高さ方向の長さ寸法及び他方の長辺側壁面の高さ方向の長さ寸法並びに前記相対向する両長辺側壁面が起立した底面の起立位置間での長さ寸法を加算した加算寸法の０．６倍以上となるように、前記シート寸法と前記加算寸法との比率が設定されている。
【００２４】
このため、このシートを前記容器部の底面に敷いた際には、当該シートの周縁部は、相対向する長辺側壁面に沿って立ち上がる。このとき、前記シートは、前記底面と前記長辺側壁面との角部より浮き上がる。このため、この浮き上がりを考慮すると、当該シートの端部を、前記長辺側壁面より上方へ延出させることができる。
【００２５】
さらに、請求項８のおまるにおいては、前記シート寸法が前記加算寸法の１．３倍以下となるように前記シート寸法と前記加算寸法との比率を設定した。
【００２６】
これにより、容器部の長辺側壁面に沿って立ち上がるとともに、当該長辺側壁面の上縁より延出したシート端部の延出量は制限される。
【００２７】
加えて、請求項９のおまるでは、シートをセットした状態で排泄物が収容される容器部を、一方向に長い長形状の底面と、前記底面の短手方向に延在する短辺より起立した短辺側壁面と、前記底面の長手方向に延在する長辺より起立した長辺側壁面とで構成する一方、前記容器部の相対向した長辺側壁面の一方の高さ方向の長さ寸法及び他方の長辺側壁面の高さ方向の長さ寸法並びに前記相対向する両長辺側壁面が起立した前記底面の起立位置間での長さ寸法を加算して算出された加算寸法と、前記容器部にセットした際に前記相対向する長辺側壁面を結ぶ方向と同方向に延在する前記シートの幅方向でのシート寸法とにおいて、前記シート寸法が前記加算寸法の１．３倍以下となるように前記シート寸法と前記加算寸法との比率を設定した。
【００２８】
これにより、容器部の長辺側壁面に沿って立ち上がるとともに、当該長辺側壁面の上縁より延出したシート端部の延出量は制限される。
【００２９】
また、請求項１０のおまるにあっては、排泄物が収容される容器部を底面と該底面の周縁に起立した壁面とで構成し、前記容器部の前記底面にシートを敷いた状態で該シートの周縁部が前記壁面に沿って立ち上がるように、前記シートの大きさを前記底面より大きく設定した。
【００３０】
すなわち、前記容器部にセットされるシートのシート寸法は、前記容器部の底面に敷いた状態で該シートの周縁部が壁面に沿って立ち上がるような大きさに設定されている。
【００３１】
このため、このシートを前記容器部の底面に敷いた状態では、当該シートの周縁部を壁面に沿って立ち上げることができる。
【００３２】
なお、本明細書において、シートの周縁部が立ち上がる壁面としては、長手方向の壁面であっても短手方向の壁面であっても良い。さらに、前記シートの周縁部が、長手方向の壁面及び短手方向の壁面の両壁面に沿って立ち上がるように構成しても良い。
【００３３】
また、請求項１１のおまるにあっては、排泄物が収容される容器部を底面と該底面の周縁に起立した壁面とで構成し、前記容器部の前記底面にシートを敷いた状態で該シートの両端部が相対向する壁面に沿って立ち上がるとともに、前記両端部が前記壁面より上方へ延出する寸法に前記シートを設定した。
【００３４】
すなわち、シートを容器部の底面に敷いた際には、当該シートの周縁部は、相対向する壁面に沿って立ち上がるとともに、その端部は、前記壁面より上方へ延出する。
【００３５】
さらに、請求項１２のおまるにおいては、前記シートを、吸水性を有する吸水部と、該吸水部の外周部に設けられた非吸水性の非吸水部とで構成する一方、前記シートを前記容器部にセットした状態で前記壁面より上方へ延出する前記シートの延出部分が前記非吸水部で構成されるように当該非吸水部の寸法を設定した。
【００３６】
すなわち、シートを容器部にセットした状態において、前記壁面より上方へ延出する前記シートの延出部分は、非吸水性の非吸水部で構成される。このため、当該シートを取り外す際には、この非吸水部が摘まれる。
【００３７】
加えて、請求項１３のおまるでは、前記シートの裏面を不透液性バックシートで構成した。
【００３８】
すなわち、容器体にセットされるシートは、その裏面が不透液性バックシートで構成されている。このため、前記シートを前記容器部から取り外す際には、当該シートが破れるといった不具合が解消される。
【発明の効果】
【００３９】
以上説明したように、本発明の請求項１のおまるにあっては、容器部に底面に敷かれたシートの周縁部を、壁面に沿って立ち上げることができる。
【００４０】
このため、使用後のシートを取り外す際には、前記壁面に沿って立ち上がった前記シートの縁部を摘むことによって、当該シートを容易に取り外すことができる。これにより、シートの後片づけが容易となる。
【００４１】
このとき、前記シートの周縁部は、前記底面と前記壁面との角部より浮き上がる。これにより、この浮き上がりを考慮すると、当該シートの端部を、前記壁面より上方へ延出させることができる。
【００４２】
このため、前記壁面より上方に延出した前記シートの延出部分を摘むことができ、シートの取り外し性をさらに高めることができる。
【００４３】
また、請求項２のおまるにおいては、容器部の壁面に沿って立ち上がるとともに、当該壁面の上縁より延出したシート端部の延出量を制限することができる。
【００４４】
このため、シートの端部を壁面に沿って大きく折り返さなければならない場合と比較して、利便性が向上するとともに、この折り返し部分を伝わってきた尿が、容器部の外側に染み出るといった不具合を防止することができる。
【００４５】
また、請求項３のおまるにあっても、容器部の壁面に沿って立ち上がるとともに、当該壁面の上縁より延出したシート端部の延出量を制限することができる。
【００４６】
このため、シートの端部を壁面に沿って大きく折り返さなければならない場合と比較して、利便性が向上するとともに、この折り返し部分を伝わってきた尿が、容器部の外側に染み出るといった不具合を防止することができる。
【００４７】
また、請求項４のおまるにあっては、容器部に底面に敷かれたシートの周縁部を、短辺側壁面に沿って立ち上げることができる。
【００４８】
このため、使用後のシートを取り外す際には、前記短辺側壁面に沿って立ち上がった前記シートの縁部を摘むことによって、当該シートを容易に取り外すことができる。これにより、シートの後片づけが容易となる。
【００４９】
このとき、前記シートの周縁部は、前記底面と前記短辺側壁面との角部より浮き上がる。これにより、この浮き上がりを考慮すると、当該シートの端部を、前記短辺側壁面より上方へ延出させることができる。
【００５０】
このため、前記短辺側壁面より上方に延出した前記シートの延出部分を摘むことができ、シートの取り外し性をさらに高めることができる。
【００５１】
さらに、請求項５のおまるにおいては、シートの端部を短辺側壁面に沿って大きく折り返さなければならない場合と比較して、利便性が向上するとともに、この折り返し部分を伝わってきた尿が、容器部の外側に染み出るといった不具合を防止することができる。
【００５２】
加えて、請求項６のおまるにあっても、容器部の短辺側壁面に沿って立ち上がるとともに、当該短辺側壁面の上縁より延出したシート端部の延出量を制限することができる。
【００５３】
このため、シートの端部を短辺側壁面に沿って大きく折り返さなければならない場合と比較して、利便性が向上するとともに、この折り返し部分を伝わってきた尿が、容器部の外側に染み出るといった不具合を防止することができる。
【００５４】
また、請求項７のおまるにあっては、容器部に底面に敷かれたシートの周縁部を、長辺側壁面に沿って立ち上げることができる。
【００５５】
このため、使用後のシートを取り外す際には、前記長辺側壁面に沿って立ち上がった前記シートの縁部を摘むことによって、当該シートを容易に取り外すことができる。これにより、シートの後片づけが容易となる。
【００５６】
このとき、前記シートの周縁部は、前記底面と前記長辺側壁面との角部より浮き上がる。これにより、この浮き上がりを考慮すると、当該シートの端部を、前記長辺側壁面より上方へ延出させることができる。
【００５７】
このため、前記長辺側壁面より上方に延出した前記シートの延出部分を摘むことができ、シートの取り外し性をさらに高めることができる。
【００５８】
さらに、請求項８のおまるにおいては、シートの端部を長辺側壁面に沿って大きく折り返さなければならない場合と比較して、利便性が向上するとともに、この折り返し部分を伝わってきた尿が、容器部の外側に染み出るといった不具合を防止することができる。
【００５９】
加えて、請求項９のおまるにあっても、容器部の長辺側壁面に沿って立ち上がるとともに、当該長辺側壁面の上縁より延出したシート端部の延出量を制限することができる。
【００６０】
このため、シートの端部を長辺側壁面に沿って大きく折り返さなければならない場合と比較して、利便性が向上するとともに、この折り返し部分を伝わってきた尿が、容器部の外側に染み出るといった不具合を防止することができる。
【００６１】
また、請求項１０のおまるにあっては、シートを容器部の底面に敷いた状態において、当該シートの周縁部を壁面に沿って立ち上げることができる。
【００６２】
このため、使用後のシートを取り外す際には、前記壁面に沿って立ち上がった前記シートの縁部を摘むことによって、当該シートを容易に取り外すことができる。これにより、シートの後片づけが容易となる。
【００６３】
また、請求項１１のおまるにおいても、シートを容器部にセットした状態において、当該シートの端部を、前記容器部の壁面より上方へ延出させることができる。
【００６４】
このため、使用後のシートを取り外す際には、前記壁面より上方に延出した前記シートの延出部分を摘むことによって、当該シートを容易に取り外すことができる。これにより、シートの後片づけが容易となる。
【００６５】
さらに、請求項１２のおまるでは、シートを容器部にセットした状態において、前記容器部の壁面より上方に延出する前記シートの延出部分を、非吸水性の非吸水部で構成することができる。このため、当該シートを取り外す際には、この非吸水部を摘むことができる。
【００６６】
したがって、尿などを吸収した吸水部を摘まなければならない場合と比較して、手の汚れを防止することができ、衛生的である。
【００６７】
加えて、請求項１３のおまるにあっては、容器部にセットされるシートは、その裏面が不透液性バックシートで構成されている。このため、前記シートを前記容器部から取り外す際に、当該シートが破れるといった不具合を解消することができる。
【００６８】
また、尿などによってシートが容器部の底面に張り付く恐れのある場合と比較して、シートの取り外し性を向上することができ、後片づけを容易に行うことができる。
【発明を実施するための最良の形態】
【００６９】
以下、本発明の一実施の形態を図に従って説明する。図１は、本実施の形態にかかるおまる１を示す図であり、該おまる１は、持ち運び可能な便器を構成するものであって大人用や子供用が挙げられる。
【００７０】
なお、本実施の形態において、相対向する壁面とは平面のみならず、湾曲した面や中途部が屈曲した面も含まれるものとする。
【００７１】
このおまる１は、幼児用であって、幼児にトイレを仕付ける際に使用される。前記おまる１は、図２にも示すように、外周部を構成する縦長のおまる本体１１と、該おまる本体１１に収容される容器部としての中桶１２と、前記おまる本体１１の上縁部１３に載置された状態で支持される便座部１４と、該便座部１４に形成された開口部１５を閉鎖する蓋体１６とによって構成されている。
【００７２】
前記おまる本体１１の中央部には縦長の収容凹部２１が形成されており、該収容凹部２１内に前記中桶１２を収容できるように構成されている。前記収容凹部２１を包囲する前記おまる本体１１の前記上縁部１３には、位置決め部２２，・・・が四カ所に設けられており、前記便座部１４下面に形成された図外の被位置決め部と係合することで、前記おまる本体１１に対する前記便座部１４の固定位置を位置決めできるように構成されている。
【００７３】
前記便座部１４は、縦方向の長さ寸法が横幅寸法より長く設定され、前記おまる本体１１に適合した縦長形状に形成されている。この便座部１４の長さ方向前端部には、ハンドル部３１が立設されており、使用時には、このハンドル部３１が前方に配置した状態で、当該便座部１４を幅方向に跨いで使用できるように構成されている。
【００７４】
また、この便座部１４には、リング状に形成されており、中央部には、縦長の前記開口部１５が開設されている。前記便座部１４の内周縁からは、下方の向けて延出する延出部４１が一体形成されており、前記開口部１５の開口縁は、この延出部４１によって形成されている。
【００７５】
前記中桶１２は、図３にも示すように、矩形容器状に形成されており、排泄物を収容できるように構成されている。この中桶１２の底面５１は、相対向する短辺５２，５２と相対向する長辺５３とを有した長方形状に形成されており、両長辺５３は、中央部が外側に突出した湾曲形状に形成されている。前記各短辺５２，５２には、上方へ向けて延出する短辺側壁面５４，５４が立設されており、前記各長辺５３には、上方へ向けて延出する長辺側壁面５５，５５が立設されている。
【００７６】
なお、この中桶１２は、長形状でなくても良い。
【００７７】
前記長辺側壁面５５は、前記長辺５３に沿った湾曲面で構成されており、中央部が外側に張り出している。この長辺側壁面５５の端部は、前記短辺側壁面５４の端縁に連設されており、前記各側壁面５４，５４，５５，５５によって当該中桶１２の周壁が形成されている。前記各側壁面５４，５４，５５，５５の上縁からは、外周方向へ向けて延出するフランジ部６１が形成されており、前記短辺側壁面５４，５４から延出したフランジ部６１の部位には、上方に膨出した取っ手部６２，６２が形成されている。
【００７８】
前記長辺側壁面５５，５５と前記短辺側壁面５４，５４との交差するコーナー部７１，・・・には、外側に張り出した張出部７２，・・・が形成されており、該張出部７２は、前記長辺側壁面５５から斜め側方に延出した長辺側延出片７３と、前記短辺側壁面５４から斜め側方に延出した短辺側延出片７４とによって構成されている。両延延出片７３，７４は、幅寸法が上方から下方へ向かうに従って短くなる三角形状に形成されており、当該張出部７２が形成する開口形状は、その幅寸法Ｈが当該中桶１２の内側から外側へ向かうに従って狭くなる平面視三角形状であって、その開口面積が上方へ向かうに従って大きくなるように構成されている。
【００７９】
当該おまる１は、図４及び図５に示すように、使用時に前記中桶１２に敷かれるシートとしての吸水シーツ８１を備えている。該吸水シーツ８１は、図６の（ａ）に示すように、長方形状に形成されており、図６の（ｂ）に示すように、その裏面は、ポリエチレンでで構成された不透液性バックシート８２で構成されている。また、前記吸水シーツ８１の表面は、透水性の不織布８３で構成されており、該不織布８３と前記不透液性バックシート８２との間には、高吸収ポリマー８４及び綿状パルプ８５からなる吸水性を有した吸収体８６が収容されている。
【００８０】
なお、本実施の形態では、吸水シーツ８１に高吸収ポリマー８４を用いたが、場合によっては、抗菌高吸収ポリマーを加えても良い。
【００８１】
そして、前記不織布８３は、その周縁が前記不透液性バックシート８２に熱溶着などによって固定されており、当該吸水シーツ８１の周縁部には、前記吸収体８６を不具備な耳部８７が形成されている。
【００８２】
これにより、前記吸水シーツ８１の中央部には、吸水性を有する吸水部８８が前記吸収体８６によって形成されており、その外周部には、前記耳部８７で構成された非吸水性の非吸水部８９が全周に渡って形成されている。
【００８３】
この吸水シーツ８１は、短辺が長さ寸法ＳＷに設定されており、長辺が長さ寸法ＳＬに設定されている。また、前記吸水部８８は、短辺が幅寸法ＫＷに設定されており、長辺が長さ寸法ＫＬに設定されている。そして、外周部に矩形枠状に形成された前記非吸水部８９幅は、幅寸法ＳＨに設定されている。
【００８４】
この吸水シーツ８１を、図４及び図５に示したように、排泄物を収容する前記中桶１２の底面５１に敷いた状態では、当該吸水シーツ８１の周縁部が前記中桶１２の前記長辺側壁面５５，５５及び前記短辺側壁面５４，５４に沿って立ち上がるように、前記底面５１より大きな大きさに形成されており、このセット状態において、前記吸水シーツ８１は、前記底面５１及び該底面５１に起立した前記各側壁面５４，５４，５５，５５が構成する内周面９１を全周に渡って覆う寸法に設定されている。また、前記吸水シーツ８１は、その立ち上がり部分が前記各側壁面５４，５４，５５，５５の上端に達するように、その短辺方向９２及び長辺方向９３の長さが設定されている（図６の（ａ）参照）。
【００８５】
具体的に説明すると、図４に示したように、相対向した前記短辺側壁面５４，５４の高さ方向における底面５１からフランジ部６１までの長さは、長さ寸法ＳＨＬに設定されており、前記両短辺側壁面５４，５４の前記長さ寸法ＳＨＬは、同寸法に設定されている。また、この両短辺側壁面５４，５４が起立した前記底面５１の起立位置間、つまり該底面５１の一端から他端までの長さは、長さ寸法Ｄに設定されている。
【００８６】
そして、一方の短辺側壁面５４の長さ寸法ＳＨＬと、他方の短辺側壁面５４の長さ寸法ＳＨＬと、前記底面５１の長さ方向の長さ寸法Ｄとを加算して算出した加算寸法（ＳＨＬ＋ＳＨＬ＋Ｄ）と、前記中桶１２にセットした際に相対向する両短辺側壁面５４，５４を結ぶ長さ方向と同方向に延在する前記吸水シーツ８１の長辺方向９３での長さ寸法ＳＬとにおいて、該長さ寸法ＳＬが、前記加算寸法（ＳＨＬ＋ＳＨＬ＋Ｄ）の０．６倍以上１．３倍以下となるように、シート寸法である前記長さ寸法ＳＬと前記加算寸法（ＳＨＬ＋ＳＨＬ＋Ｄ）との比率が設定されている。
【００８７】
なお、前記長さ寸法ＳＬと前記加算寸法（ＳＨＬ＋ＳＨＬ＋Ｄ）との関係については、前記長さ寸法ＳＬが前記加算寸法（ＳＨＬ＋ＳＨＬ＋Ｄ）の０．８倍以上であることが好ましく、さらには、前記長さ寸法ＳＬが前記加算寸法（ＳＨＬ＋ＳＨＬ＋Ｄ）の０．９倍以上であることがより好ましい。そして、前記長さ寸法ＳＬが前記加算寸法（ＳＨＬ＋ＳＨＬ＋Ｄ）の１．０倍以上であればさらに好ましい。
【００８８】
また、前記長さ寸法ＳＬと前記加算寸法（ＳＨＬ＋ＳＨＬ＋Ｄ）との関係については、前記長さ寸法ＳＬが前記加算寸法（ＳＨＬ＋ＳＨＬ＋Ｄ）の１．２倍以下であることが好ましく、さらには、前記長さ寸法ＳＬが前記加算寸法（ＳＨＬ＋ＳＨＬ＋Ｄ）の１．１倍以下であることがより好ましい。そして、前記長さ寸法ＳＬが前記加算寸法（ＳＨＬ＋ＳＨＬ＋Ｄ）の１．０５倍以下であればさらに好ましい。
【００８９】
そして、これらの組み合わせとしては、前記長さ寸法ＳＬが前記加算寸法（ＳＨＬ＋ＳＨＬ＋Ｄ）の０．８倍以上１．２倍以下であることが好ましく、さらには、前記長さ寸法ＳＬが前記加算寸法（ＳＨＬ＋ＳＨＬ＋Ｄ）の０．９倍以上１．１倍以下であることがより好ましい。そして、前記長さ寸法ＳＬが前記加算寸法（ＳＨＬ＋ＳＨＬ＋Ｄ）の１．０倍以上１．０５倍以下であればさらに好ましい。
【００９０】
また、前記加算寸法（ＳＨＬ＋ＳＨＬ＋Ｄ）は、前記吸水シーツ８１の前記吸水部８８における長手方向の長さ寸法ＫＬと同寸法となるように設定されている。ここで、前記吸水部８８を前記吸水シーツ８１の縁部まで形成した場合、前記吸水シーツ８１の前記長さ寸法ＳＬは、前記吸水部８８における長手方向の長さ寸法ＫＬと等しくなる。
【００９１】
これにより、前記吸水シーツ８１を前記中桶１２にセットした状態で、前記底面５１と前記短辺側壁面５４との角部からの前記吸水シーツ８１の浮き上がりを考慮に入れると、前記長さ寸法ＳＬが前記加算寸法（ＳＨＬ＋ＳＨＬ＋Ｄ）の０．６倍であっても、前記吸水シーツ８１の両端部が前記両短辺側壁面５４，５４より上方へ延出するように構成されており、この延出部分２０１，２０１が前記非吸水部８９，８９で構成されるように当該非吸水部８９の幅寸法ＳＨが設定されている。
【００９２】
また、図５に示したように、相対向した前記長辺側壁面５５，５５の高さ方向における底面５１からフランジ部６１までの長さは、長さ寸法ＬＨＬに設定されており、前記両長辺側壁面５５，５５の前記長さ寸法ＬＨＬは、同寸法に設定されている。この両長辺側壁面５５，５５が起立した前記底面５１の起立位置間、つまり側方へ膨出して幅方向へ最も離れた前記底面５１の中央部における一端から他端までの幅は、長さ寸法Ｗに設定されている。
【００９３】
そして、一方の長辺側壁面５５の長さ寸法ＬＨＬと、他方の長辺側壁面５５の長さ寸法ＬＨＬと、前記底面５１の幅方向の長さ寸法Ｗとを加算して算出した加算寸法（ＬＨＬ＋ＬＨＬ＋Ｗ）と、前記中桶１２にセットした際に相対向する両長辺側壁面５５，５５を結ぶ幅方向と同方向に延在する前記吸水シーツ８１の短辺方向９２での長さ寸法ＳＷとにおいて、該長さ寸法ＳＷが、前記加算寸法（ＬＨＬ＋ＬＨＬ＋Ｗ）の０．６倍以上１．３倍以下となるように、シート寸法である前記長さ寸法ＳＷと前記加算寸法（ＬＨＬ＋ＬＨＬ＋Ｗ）との比率が設定されている。
【００９４】
なお、前記長さ寸法ＳＷと前記加算寸法（ＬＨＬ＋ＬＨＬ＋Ｗ）との関係については、前記長さ寸法ＳＷが前記加算寸法（ＬＨＬ＋ＬＨＬ＋Ｗ）の０．８倍以上であることが好ましく、さらには、前記長さ寸法ＳＷが前記加算寸法（ＬＨＬ＋ＬＨＬ＋Ｗ）の０．９倍以上であることがより好ましい。そして、前記長さ寸法ＳＷが前記加算寸法（ＬＨＬ＋ＬＨＬ＋Ｗ）の１．０倍以上であればさらに好ましい。
【００９５】
また、前記前記長さ寸法ＳＷと前記加算寸法（ＬＨＬ＋ＬＨＬ＋Ｗ）との関係については、前記長さ寸法ＳＷが前記加算寸法（ＬＨＬ＋ＬＨＬ＋Ｗ）の１．２倍以下であることが好ましく、さらには、前記長さ寸法ＳＷが前記加算寸法（ＬＨＬ＋ＬＨＬ＋Ｗ）の１．１倍以下であることがより好ましい。そして、前記長さ寸法ＳＷが前記加算寸法（ＬＨＬ＋ＬＨＬ＋Ｗ）の１．０５倍以下であればさらに好ましい。
【００９６】
そして、これらの組み合わせとしては、前記長さ寸法ＳＷが前記加算寸法（ＬＨＬ＋ＬＨＬ＋Ｗ）の０．８倍以上１．２倍以下であることが好ましく、さらには、前記前記長さ寸法ＳＷが前記加算寸法（ＬＨＬ＋ＬＨＬ＋Ｗ）の０．９倍以上１．１倍以下であることがより好ましい。そして、前記長さ寸法ＳＷが前記加算寸法（ＬＨＬ＋ＬＨＬ＋Ｗ）の１．０倍以上１．０５倍以下であればさらに好ましい。
【００９７】
また、前記加算寸法（ＬＨＬ＋ＬＨＬ＋Ｗ）は、前記吸水シーツ８１の前記吸水部８８における短手方向の長さ寸法ＫＷと同寸法となるように設定されている。ここで、前記吸水部８８を前記吸水シーツ８１の縁部まで形成した場合、前記吸水シーツ８１の前記長さ寸法ＳＷは、前記吸水部８８における短手方向の長さ寸法ＳＷと等しくなる。
【００９８】
これにより、前記吸水シーツ８１を前記中桶１２にセットした状態で、前記底面５１と前記長辺側壁面５５との角部からの前記吸水シーツ８１の浮き上がりを考慮に入れると、前記長さ寸法ＳＷが前記加算寸法（ＬＨＬ＋ＬＨＬ＋Ｗ）の０．６倍であっても、前記吸水シーツ８１の両端部が前記両長辺側壁面５５，５５より上方へ延出するように構成されており、この延出部分２０２，２０２が前記非吸水部８９，８９で構成されるように当該非吸水部８９の幅寸法ＳＨが設定されている。
【００９９】
そして、前記中桶１２の底面５１には、図４及び図５に示したように、下方に突出する凸条１０１がリング状に形成されており、該凸条１０１が前記おまる本体１１の収容凹部２１底面１０２に凹設された段差部１０３に収容された状態で位置決めされるように構成されている。この位置決め状態において、前記中桶１２の前記各側壁面５４，５４，５５，５５と前記便座部１４に形成された前記延出部４１との間には、前記各側壁面５４，５４，５５，５５に沿って配置された前記吸水シーツ８１の上端部を介在させる介在部１０４が前記中桶１２の周壁の内側に形成されている。
【０１００】
以上の構成にかかる本実施の形態において、中桶１２にセットされる吸水シーツ８１の長辺方向９３での長さ寸法ＳＬは、前記中桶１２の一方の短辺側壁面５４の長さ寸法ＳＨＬと、他方の短辺側壁面５４の長さ寸法ＳＨＬと、底面５１の長さ方向の長さ寸法Ｄとを加算して算出した加算寸法（ＳＨＬ＋ＳＨＬ＋Ｄ）の０．６倍以上となるように、前記長さ寸法ＳＬと前記加算寸法（ＳＨＬ＋ＳＨＬ＋Ｄ）との比率が設定されている。
【０１０１】
これにより、この吸水シーツ８１を前記中桶１２の底面５１に敷いた際には、前記底面５１と前記短辺側壁面５４との角部からの前記吸水シーツ８１の浮き上がりを考慮に入れると、当該吸水シーツ８１の長手方向の周縁部を、相対向する短辺側壁面５４，５４に沿って立ち上げることができる。さらには、その端部を、前記短辺側壁面５４，５４より上方へ延出することができる。
【０１０２】
また、吸水シーツ８１の短辺方向９２での長さ寸法ＳＷは、前記中桶１２の一方の長辺側壁面５５の長さ寸法ＬＨＬと、他方の長辺側壁面５５の長さ寸法ＬＨＬと、前記底面５１の幅方向の長さ寸法Ｗとを加算して算出した加算寸法（ＬＨＬ＋ＬＨＬ＋Ｗ）の０．６倍以上となるように、前記長さ寸法ＳＷと前記加算寸法（ＬＨＬ＋ＬＨＬ＋Ｗ）との比率が設定されている。
【０１０３】
これにより、この吸水シーツ８１を前記中桶１２の底面５１に敷いた際には、前記底面５１と前記長辺側壁面５５との角部からの前記吸水シーツ８１の浮き上がりを考慮に入れると、当該吸水シーツ８１の短手方向の周縁部を、相対向する長辺側壁面５５，５５に沿って立ち上げることができる。さらには、その端部を、前記長辺側壁面５５，５５より上方へ延出することができる。
【０１０４】
このため、使用後の吸水シーツ８１を取り外す際には、前記各壁面５４，５４，５５，５５に沿って立ち上がった部分、あるいは前記各壁面５４，５４，５５，５５より上方に延出した前記吸水シーツ８１の延出部分２０１，２０１，２０２，２０２を摘むことによって、当該吸水シーツ８１を容易に取り外すことができる。これにより、吸水シーツ８１の後片づけが容易となる。
【０１０５】
このとき、前記加算寸法（ＬＨＬ＋ＬＨＬ＋Ｗ）は、前記吸水シーツ８１の前記吸水部８８における短手方向の長さ寸法ＫＷと同寸法となるように設定されている。また、前記加算寸法（ＳＨＬ＋ＳＨＬ＋Ｄ）は、前記吸水シーツ８１の前記吸水部８８における長手方向の長さ寸法ＫＬと同寸法となるように設定されている。
【０１０６】
このため、前記延出部分２０１，２０１，２０２，２０２を、非吸水性の非吸水部８９，・・・で構成することができる。このため、当該吸水シーツ８１を取り外す際には、この非吸水部８９，・・・を摘むことができる。
【０１０７】
したがって、前記吸水シーツ８１の縁部まで前記吸水部８８で構成された場合のように、尿などを吸収した吸水部８８を摘まなければならない場合と比較して、手の汚れを防止することができ、衛生的である。
【０１０８】
なお、前記吸水シーツ８１の前記吸水部８８が各壁面５４，５４，５５，５５より上方に演出しても、取り外し性の向上は図れる。
【０１０９】
そして、中桶１２にセットされる吸水シーツ８１の長辺方向９３での長さ寸法ＳＬは、前記中桶１２の一方の短辺側壁面５４の長さ寸法ＳＨＬと、他方の短辺側壁面５４の長さ寸法ＳＨＬと、底面５１の長さ方向の長さ寸法Ｄとを加算して算出した加算寸法（ＳＨＬ＋ＳＨＬ＋Ｄ）の１．３倍以下となるように、前記長さ寸法ＳＬと前記加算寸法（ＳＨＬ＋ＳＨＬ＋Ｄ）との比率が設定されている。
【０１１０】
これにより、前記中桶１２の短辺側壁面５４に沿って立ち上がるとともに、当該短辺側壁面５４の上縁より延出した前記吸水シーツ８１端部の延出量を制限することができる。
【０１１１】
また、吸水シーツ８１の短辺方向９２での長さ寸法ＳＷは、前記中桶１２の一方の長辺側壁面５５の長さ寸法ＬＨＬと、他方の長辺側壁面５５の長さ寸法ＬＨＬと、前記底面５１の幅方向の長さ寸法Ｗとを加算して算出した加算寸法（ＬＨＬ＋ＬＨＬ＋Ｗ）の１．３倍以下となるように、前記長さ寸法ＳＷと前記加算寸法（ＬＨＬ＋ＬＨＬ＋Ｗ）との比率が設定されている。
【０１１２】
これにより、前記中桶１２の長辺側壁面５５に沿って立ち上がるとともに、当該長辺側壁面５５の上縁より延出した前記吸水シーツ８１端部の延出量を制限することができる。
【０１１３】
このため、図７の（ａ）に示すように、吸水シーツ８１の端部を短辺側壁面５４又は長辺側壁面５５に沿って大きく折り返さなければならない場合と比較して、利便性が向上するとともに、この折り返し部分を伝わってきた尿が、中桶１２の外側に染み出るといった不具合を防止することができる。
【０１１４】
なお、前記吸水シーツ８１の端部の折り返し方法としては、中桶１２の各壁面５４，５４，５５，５５に沿って折り返す場合と、おまる本体１１の側面に沿って折り返す場合とが挙げられる
【０１１５】
そして、前記吸水シーツ８１は、その裏面が不透液性バックシート８２で構成されている。このため、前記吸水シーツ８１を前記中桶１２から取り外す際に、当該吸水シーツ８１が破れるといった不具合を解消することができる。
【０１１６】
また、尿などによって前記吸水シーツ８１が中桶１２の内側面に張り付く恐れのある場合と比較して、吸水シーツ８１の取り外し性を向上することができ、後片づけを容易に行うことができる。
【０１１７】
なお、前記吸水シーツ８１は、図７の（ｂ）に示すように、前記底面５１より大きく設定すれば良く、当該吸水シーツ８１の周縁部を各壁面５４，５４，５５，５５に沿って立ち上げることができる。
【０１１８】
これにより、使用後の吸水シーツ８１を取り外す際には、前記各壁面５４，５４，５５，５５に沿って立ち上がった前記吸水シーツ８１の縁部を摘むことによって、当該吸水シーツ８１を容易に取り外すことができる。これにより、吸水シーツ８１の後片づけが容易となる。
【図面の簡単な説明】
【０１１９】
【図１】本発明の一実施の形態を示す斜視図である。
【図２】同実施の形態の分解斜視図である。
【図３】同実施の形態の中桶を示す斜視図である。
【図４】同実施の形態の縦方向に沿った断面図である。
【図５】同実施の形態の横方向に沿った断面図である。
【図６】同実施の形態の吸水シーツを示す図で、（ａ）は平面図であり、（ｂ）は要部の断面図ある。
【図７】同実施の形態の使用例を示す図で、（ａ）は吸水シーツの縁部を各壁面で折り返した状態を示す説明図であり、（ｂ）は底面より大きく形成された吸水シーツの使用状態を示す説明図である。
【符号の説明】
【０１２０】
１    おまる
１２    中桶
５１    底面
５２    短辺
５３    長辺
５４    短辺側壁部
５５    長辺側壁部
８１    吸水シーツ
８２    不透液性バックシート
８８    吸水部
８９    非吸水部
【図１】
2006296518.tif 000003
【図２】
2006296518.tif 000004
【図３】
2006296518.tif 000005
【図４】
2006296518.tif 000006
【図５】
2006296518.tif 000007
【図６】
2006296518.tif 000008
【図７】
2006296518.tif 000009